(57)【特許請求の範囲】
【請求項１】
スキー板本体を平面視略中央部分が最も幅が狭くトップ側とテール側に向かい幅が広くなるようにサイドカーブを形成し、側面視略中央部分がトップ側平接雪点とテール側平接雪点を結んだ線に対し最も高くなるように形成し、またトップ側平接雪点とテール側平接雪点をスキー板長手方向の仮想中心線に対し直角に形成するとともに、トップ側サイドカーブ変曲点をトップ側平接雪点より、４０ｍｍ以上トップ側先端方向に形成し、角付け時の斜接雪点が幅の広い側に移動するようにしたことを特徴とするスキー板。
【請求項２】
スキー板本体を平面視略中央部分が最も幅が狭くトップ側とテール側に向かい幅が広くなるようにサイドカーブを形成し、側面視略中央部分がトップ側平接雪点とテール側平接雪点を結んだ線に対し最も高くなるように形成し、またトップ側平接雪点とテール側平接雪点をスキー板長手方向の仮想中心線に対し直角に形成するとともに、テール側サイドカーブ変曲点をテール側平接雪点より、４０ｍｍ以上テール側先端方向に形成し、角付け時の斜接雪点が幅の広い側に移動するようにしたことを特徴とするスキー板。
【発明の詳細な説明】
【０００１】
【産業上の利用分野】
この発明は、滑走時においてスキーヤーが回転弧の調整を自在に行うことができるようにしたスキー板に関するものである。
【０００２】
【従来の技術】
従来から一般に用いられているスキー板は、図２に示すように、トップ側及びテール側にそれぞれ、平接雪点（スキー板を平坦な雪面に上下を正して置いた場合に雪面に接する部分。見掛け上は「平接雪線」と言うべきではあるが、角付けにおいて点接触するために、上記のように表現されている。）と、変曲点（スキー板の両サイドカーブがトップ側においてＳ字状に変化する頂点。スキー板の最大幅部分）が同一の位置に形成されていた。このため、雪斜面の滑走時に雪面に対して角付け角度（雪斜面に対するスキー板の角度。スキー板上面と上方雪斜面との角度を狭くすることを角付けが多いという。）を変化させても斜接雪点とスキー板の平置き時（スキー板を非角付け時）の平接雪点はほぼ同じ位置となる。
【０００３】
【発明が解決しようとする課題】
そのため滑走時の回転弧の調整は、スキー板をたわませ、そのたわみ量を調整しながら行うことにならざるを得ないが、これには強い脚力を必要とすることになるところ、脚力の弱いスキーヤーにとっては、回転弧の調整が非常に困難な操作となっていたのである。
【０００４】
一方、近時開発されたいわゆるカービンクスキー板は、他のスキー板と比較してトップ及びテールの幅が広く形成してあるため回転性能は向上したものの、このカービングスキー板による滑走は、テールのずらし操作（テール側を左右に振る如き操作）による回転滑走はしにくくなり、回転弧の調整はよりいっそう困難となっているのである。
【０００５】
【課題を解決するための手段】
そこでこの発明に係るスキー板（請求項１）は前記の課題を解決するために、スキー板本体を平面視略中央部分が最も幅が狭くトップ側とテール側に向かい幅が広くなるようにサイドカーブを形成し、側面視略中央部分がトップ側平接雪点とテール側平接雪点を結んだ線に対し最も高くなるように形成し、またトップ側平接雪点とテール側平接雪点をスキー板長手方向の仮想中心線に対し直角に形成するとともに、トップ側サイドカーブ変曲点をトップ側平接雪点より、４０ｍｍ以上トップ側先端方向に形成し、角付け時の斜接雪点が幅の広い側に移動するようにしたものである。
【０００６】
またこの発明に係るスキー板（請求項２）は前記の課題を解決するために、スキー板本体を平面視略中央部分が最も幅が狭くトップ側とテール側に向かい幅が広くなるようにサイドカーブを形成し、側面視略中央部分がトップ側平接雪点とテール側平接雪点を結んだ線に対し最も高くなるように形成し、またトップ側平接雪点とテール側平接雪点をスキー板長手方向の仮想中心線に対し直角に形成するとともに、テール側サイドカーブ変曲点をテール側平接雪点より、４０ｍｍ以上テール側先端方向に形成し、角付け時の斜接雪点が幅の広い側に移動するようにしたものである。
【０００７】
【発明の実施の形態】
次にこの発明に係るスキー板の実施の形態を図１に基づいて述べると、１はスキー板であり、２，２’はスキー板１のトップ側又はテール側の平接雪点、３，３’はトップ側又はテール側の変曲点である。同図（ロ）２に示されるように、スキー板１は平面視略中央部分が最も幅が狭くトップ側とテール側に向かい幅が広くなるようにサイドカーブを形成してある。また同図（イ）１に示されるように、スキー板１は側面視略中央部分がトップ側平接雪点２とテール側平接雪点２’を結んだ線に対し最も離れているように形成してある。
【０００８】
同図に示すようにこの発明に係るスキー板１においては、変曲点３，３’の位置は平接雪点２，２’の位置と異なる位置に形成し、トップ側の変曲点３はトップ側の平接雪点２の位置よりもトップ側先端方向に、またテール側の変曲点３’はテール側の平接雪点２’の位置よりもテール側先端方向にそれぞれ形成してある。そして平接雪点２，２’は同図（イ）（ロ）に示すようにスキー板長手方向の仮想中心線に対し直角に形成してある。
【０００９】
このように形成することによって、スキー滑走の角付け時の斜接雪点とスキーの平置き時の平接雪点２，２’の位置を変化させることができ、滑走時においてスキー板１を左右いずれかの方向に傾けると、角付け時の斜接雪点が幅の広い側に移動することになるのである。
【００１０】
したがって前記傾ける量を多くすると、回転弧が小さくなり、他方、前記傾ける量を少なくすると、回転弧が大きくなり、スキー板１のたわみと相まって、回転弧の調整が容易になるのである。
【００１１】
前記平接雪点２，２’と変曲点３，３’のスキー板１の長手方向の間隔に関する本発明者の実験によると、全長１，７００ｍｍのスキー板１にあってはトップ側においては６０ｍｍもあれば十分であったが、４０ｍｍでも十分その効を奏し得ることが、またテール側にあっては４０ｍｍもあれば十分であった。このことから理論的には長い方が好ましいと推論できる。そのためには例えばスキー板１の平接雪点２，２’の位置を変えず、スキー板１全体の長さを現状のものよりもさらに長く形成するか、又は長さは変えず平接雪点２，２’をビィンディング取付位置方向に近付ける等、形状を変えればよいのである。
【００１２】
【発明の効果】
前記のようにこの発明に係るスキー板によれば、スキー板本体を平面視略中央部分が最も幅が狭くトップ側とテール側に向かい幅が広くなるようにサイドカーブを形成し、側面視略中央部分がトップ側平接雪点とテール側平接雪点を結んだ線に対し最も高くなるように形成し、またトップ側平接雪点とテール側平接雪点をスキー板長手方向の仮想中心線に対し直角に形成するとともに、トップ側サイドカーブ変曲点をトップ側平接雪点より、４０ｍｍ以上トップ側先端方向に形成し、角付け時の斜接雪点が幅の広い側に移動するようにし（請求項１）、又はスキー板本体を平面視略中央部分が最も幅が狭くトップ側とテール側に向かい幅が広くなるようにサイドカーブを形成し、側面視略中央部分がトップ側平接雪点とテール側平接雪点を結んだ線に対し最も高くなるように形成し、またトップ側平接雪点とテール側平接雪点をスキー板長手方向の仮想中心線に対し直角に形成するとともに、テール側サイドカーブ変曲点をテール側平接雪点より、４０ｍｍ以上テール側先端方向に形成し、角付け時の斜接雪点が幅の広い側に移動するようにした（請求項２）ので、前記のように回転弧の調整を自在かつ容易に行うことができるという効果を有する以外に、下記の効果も有するのである。
【００１３】
イ，ターン入口（回転開始時）の切り替えが早くなり、その結果、谷回りを早く作ることができる。
ロ，回転滑走においてトップの入りが早くなり、そのため深く倒し込みやすく、したがって内足（回転弧の内側に位置する足。通常は谷足となる。）も使い易くなる。
ハ，急雪斜面の滑走にはおのずと角付けが多くなるが、滑落（横滑り）しにくく、したがってスピードをコントロールし易くなる。
ニ，斜接雪点距離（スキー板を雪面に対して角付けしたときにスキー板と雪面の接する部分）が、従来のスキー板より長くなるため、スキー板全長を長くしたと同様の効果があり、高速滑走においての安定性が向上する。
【図面の簡単な説明】
【図１】  この発明に係るスキー板の（イ）は側面図、（ロ）は平面図である。
【図２】  この従来例のスキー板の（イ）は側面図、（ロ）は平面図である。
【符号の説明】
１  スキー板
２，２’  平接雪点
３，３’  変曲点
【図１】
0003837716.tif 000002
【図２】
0003837716.tif 000003